(57)【特許請求の範囲】
【請求項１】
装置本体を有し、この装置本体の上面に背凭れ体が設けられるクッション装置において、
上記背凭れ体は、
中間部及びこの中間部の両端部に設けられた一対の側辺部を有し、この側辺部の末端には上記装置本体の所定方向両端部の下面に係合する一対の係合部が幅方向内方に向かって形成された枠状部材と、
この枠状部材の中間部に設けられ枠状部材が係合部を上記装置本体の下面に係合させた状態で下端部が上記装置本体の上面に当接することで上記枠状部材を上記装置本体上で起立状態に保持する支持部材と
を具備することを特徴とするクッション装置。
【請求項２】
上記枠状部材と支持部材とのうちの少なくとも枠状部材は、幅方向に伸縮可能な構成であることを特徴とする請求項１記載のクッション装置。
【請求項３】
上記枠状部材の少なくとも中間部にはクッション体が設けられることを特徴とする請求項１記載のクッション装置。
【発明の詳細な説明】
【０００１】
【発明の属する技術分野】
この発明は利用者が寄り掛かることのできる背凭れ用のクッション体を有するクッション装置に関する。
【０００２】
【従来の技術】
たとえば、クッション装置としてのベッドにおいては、利用者が単にマットレス上に仰臥して就寝するだけでなく、そのマットレス上に腰を下ろし、ソファーとして利用することもある。
【０００３】
ベッドをソファーとして利用する場合、利用者はマットレス上で上半身を起こした姿勢で読書をしたり、テレビを見るなどのことがあり、そのような利用形態においては利用者が寄り掛かることのできる背凭れ用のクッション体が必要となる。
【０００４】
通常のベッドの場合、背凭れ用のクッション体は備えていないから、利用者はヘッドボードに寄り掛かるようにしている。しかしながら、ベッドにはヘッドボードを備えていないものがあるから、そのようなベッドの場合、利用者は上半身を起こして寄り掛かるという姿勢をとることができず、不便である。
【０００５】
【発明が解決しようとする課題】
このように、ヘッドボードを備えていないベッドなどのクッション装置においては、利用者が上半身を起こして寄り掛かる姿勢をとることができないということがあるため、使い難く、不便であるということがあった。
【０００６】
この発明は、ヘッドボードを備えていないベッドなどであっても、利用者が寄り掛かるためのクッション体を備えることができるようにしたクッション装置を提供することにある。
【０００７】
【課題を解決するための手段】
装置本体を有し、この装置本体の上面に背凭れ体が設けられるクッション装置において、
上記背凭れ体は、
中間部及びこの中間部の両端部に設けられた一対の側辺部を有し、この側辺部の末端には上記装置本体の所定方向両端部の下面に係合する一対の係合部が幅方向内方に向かって形成された枠状部材と、
この枠状部材の中間部に設けられ枠状部材が係合部を上記装置本体の下面に係合させた状態で下端部が上記装置本体の上面に当接することで上記枠状部材を上記装置本体上で起立状態に保持する支持部材と
を具備することを特徴とするクッション装置にある。
【０００８】
請求項２の発明は、上記枠状部材と支持杆部材とのうちの少なくとも枠状部材は、幅方向に伸縮可能な構成であることを特徴とする請求項１記載のクッション装置にある。
【０００９】
請求項３の発明は、上記枠状部材の少なくとも中間部にはクッション体が設けられることを特徴とする請求項１記載のクッション装置にある。
【００１０】
請求項１と請求項３の発明によれば、装置本体上の所定の位置に背凭れ体を設けることができるから、利用者はこの背凭れ体に寄り掛かることができ、しかも背凭れ体は装置本体の上面の所定の位置で保持したり、装置本体から取り外すことができ、便利である。
【００１１】
請求項２の発明によれば、背凭れ体の幅寸法を調整することができるから、この背凭れ体を、装置本体の幅寸法が異なっても、使用することができる。
【００１２】
【発明の実施の形態】
以下、図面を参照しながら発明の実施の形態を説明する。
【００１３】
図１乃至図５はこの発明の第１の実施の形態を示す。図１はこの発明に係るクッション装置としてのベッド１を示し、このベッド１は装置本体２を有する。この装置本体２は、図３に示すように矩形状の基体３を有する。この基体３の下面四隅部にはそれぞれ脚体４が設けられ、上面には第１のクッション体５が設けられている。
【００１４】
上記第１のクッション体５はコイルスプリング６を行列状に配置したスプリングユニット７を有し、このスプリングユニット７の上面には弾性シート８が積層されている。そして、上記基体３、スプリングユニット７及び弾性シート８は外装地９によって被覆されている。
【００１５】
上記装置本体２には背凭れ体１１が設けられる。この背凭れ体１１は枠状部材１２を有する。この枠状部材１２は、中間部１３及びこの中間部１３の両端にＬ字状に折曲形成された一対の側辺部１４とがパイプ材によって形成されている。この側辺部１４の下端部は幅方向内方に向かってさらにＬ字状に折曲形成された係合部１５に形成されている。
【００１６】
上記中間部１３は、図４に示すように長さ方向中途部で分断されていて、分断された一方の部分１３ａと他方の部分１３ｂとは継ぎ手１６によって長さ調整可能に連結されている。
【００１７】
この継ぎ手１６は、上記中間部１３の一方の部分の端部に取付け固定されたおねじ部材１７を有する。このおねじ部材１７は筒状の接続部１９を有し、この接続部１９には複数のすり割溝２１が周方向に所定間隔で形成されていると共に、先端部の外周面は第１のテーパ部２２に形成されている。
【００１８】
上記おねじ部材１７の接続部１９には筒状のめねじ部材２３が螺合される。このめねじ部材２３の内周面には第２のテーパ部２４が形成されている。したがって、おねじ部材１７にめねじ部材２３を締め込むと、おねじ部材１７の接続部１９が縮径方向に弾性変形するようになっている。
【００１９】
上記中間部１３の他方の部分１３ｂには、外形寸法が上記枠状部材１２の内部に入り込む大きさのパイプ材からなる長さ調整部材２５の一端が嵌入固定されている。この長さ調整部材２５の他端部は上記おねじ部材１７を通じて中間部１３の一方の部分１３ａにスライド可能に挿入されている。
【００２０】
上記めねじ部材２３を締め込んでおねじ部材１７の接続部１９を縮径方向に弾性変形させれば、上記長さ調整部材２５は上記中間部１３の一方の部分１３ａに対してスライド不能に固定される。
【００２１】
上記めねじ部材２３を緩めると、上記長さ調整部材２５を上記中間部１３の一方の部分１３ａに対してスライドさせることができる。したがって、上記長さ調整部材２５を所定の位置までスライドさせ、その位置で固定すれば、中間部１３の長さ寸法、つまり枠状部材１２の幅寸法を調整できるようになっている。この実施の形態では、枠状部材１２の幅寸法は、その一対の係合部１５が装置本体１の幅方向両端部の下面に係合するよう設定されている。
【００２２】
上記枠状部材１２の中間部１３には支持部材３１が設けられている。この支持部材３１はパイプ材をほぼ逆Ｕ字状に曲成してなり、その一端と他端は上記枠状部材１２の中間部１３の一方の部分１３ａと他方の部分１３ｂにそれぞれ固着されている。
【００２３】
上記支持部材３１の中間部３２は枠状部材１２の中間部３２と同様、２つの部分３２ａ，３２ｂに分断されていて、他方の部分３２ｂには長さ調整杆３３の一端部が嵌入固定されている。この長さ調整杆３３の他端部は一方の部分３２ａにスライド可能に挿入されている。
【００２４】
それによって、支持部材３１は、継ぎ手１６により枠状部材１２の幅寸法を調整したときに、その調整に応じて幅寸法を変えることができるようになっている。
【００２５】
上記支持部材３１の高さ寸法は、上記枠状部材１２の一対の係合部１５を装置本体１の幅方向の下面に係合させたときに、下端である中間部３２が装置本体１の上面よりもわずかに上方になるよう設定されている。
【００２６】
上記枠状部材１２と支持部材３１との中間部には背凭れ用のクッション体３５が設けられている。このクッション体３５は、詳細は図示しないが、たとえばファスナによって開閉可能に形成された袋部材内に弾性部材が収納されていて、この弾性部材が上記枠状部材１２と支持部材３１との中間部１３，３２を包み込む状態で保持されている。
【００２７】
袋部材のファスナを開くことで枠状部材１２の中間部１３に設けられた継ぎ手１６を露出させることができる。したがって、枠状部材１２と支持部材３１との中間部１３，３２を包み込む状態でクッション体３５を設けても、枠状部材１２の長さを調整することが可能となっている。
【００２８】
枠状部材１２の一対の係合部１５を装置本体１の下面に係合させ、この枠状部材１２を図２に示すように前後方向に傾けることで、支持部材３１の中間部３２がクッション体３５を介して装置本体２の上面に当接する。したがって、背凭れ体１１は、その傾斜状態でそれ以上倒伏しないように保持される。
【００２９】
このような構成のベッド１によれば、たとえば、図１と図２に示すように背凭れ体１１は、装置本体２の長手方向一端部の上面で前後方向にわずかに傾斜させた立位状態で倒伏不能に保持することができる。
【００３０】
そのため、利用者は上記背凭れ体１１のクッション体３５に寄り掛かることができるから、上半身を起こした姿勢を楽に維持することができる。
【００３１】
上記背凭れ体１１は、その枠状部材１２に設けられた係合部１５を装置本体２の幅方向両端部下面に係合させ、この枠状部材１２をベッド１の長手方向に沿って傾斜させることで、支持部材３２の下端を装置本体２の上面に当接させて倒伏不能に保持される。
【００３２】
つまり、背凭れ体１１は、単に係合部１５を装置本体２の幅方向両端部下面に係合させて傾斜させるだけでベッド１の装置本体２に立位状態で保持されているから、この背凭れ体１１を傾斜した状態からほぼ垂直に起立させれば、装置本体２の長手方向に沿って移動させることができる。しかも、任意の位置で背凭れ体１１を傾斜させることで、その位置で保持することができる。
【００３３】
たとえば、背凭れ体１１を図２に実線で示す位置Ａで保持すれば、利用者は脚部を装置本体２の上面に投げ出した状態で背凭れ体１１に寄り掛かることができ、同図に鎖線で示す位置Ｂで保持すれば、利用者は装置本体２の一端部に腰掛け、脚部を装置本体２から下へ降ろした状態で利用することができる。
【００３４】
なお、位置Ａで背凭れ体１１を矢印Ｘ方向に回動させ、その傾斜方向を変えることで、位置Ｂに移動させたときと同じように、利用者が装置本体２の端部に腰掛けた状態で寄り掛かるようにしてもよい。
【００３５】
利用者が就寝する際などに、装置本体２の上面全体を有効に利用したい場合には、背凭れ体１１の係合部１５が装置本体２の下面から外れる位置までスライドさせ、この背凭れ体１１を装置本体２から取り外す。それによって、装置本体２の上面全体を有効に利用することができる。
【００３６】
上記背凭れ体１１は幅寸法の調整ができるようになっている。そのため、幅寸法の異なる装置本体２であっても、その装置本体２の幅寸法に応じて一対の係合部１５が装置本体２の幅方向両端部の下面に係合するよう、幅寸法を調整して使用することができる。
【００３７】
図６はこの発明の第２の実施の形態を示す。この実施の形態は背凭れ体１１の、２つに分割された枠状部材１２の一方の部分１３ａと他方の部分１３ｂとにそれぞれ支持部材３１Ａ，３１Ｂを別々に設けるようにした。
【００３８】
そのため、このような構成によれば、枠状部材１２の幅寸法を継ぎ手１６によって調整する場合、支持部材３１Ａ，３１Ｂを伸縮させる必要がない。
【００３９】
また、図示しないが、背凭れ体１１は、幅寸法を装置本体２の長手方向の長さ寸法とほぼ同じにすることで、装置本体２の長手方向に沿って設けることもできる。
【００４０】
また、装置本体２としてはベッド用に限られず、ソファー用のものであってもよく、しかもその形状は矩形状に限定されず、円形状や長円形状などであってもよく、要は枠状部材１２の一対の係合部を装置本体２の所定方向の両端部下面に係合させることができればよい。
【００４１】
また、クッション体３５は枠状部材１２の中間部１３だけでなく側辺部１４にわたる大きさとしてもよく、さらに支持部材３１の中間部３２はクッション体３５の外部に露出させるようにしてもよく、要はクッション対３５が少なくとも枠状部材１２の中間部１３に設けられていればよい。
【００４２】
図７と図８はこの発明の第３の実施の形態を示す。この実施の形態はベッド１の装置本体２Ａが下面四隅部に脚体４１が設けられたベッドフレーム４２と、このベッドフレーム４２の上面に載置されるマットレス４３とから構成されている。ベッドフレーム４２の長さ寸法は上記マットレス４３の長さ寸法よりも長くなっていて、このベッドフレーム４２の長手方向端部に枠状部材１２Ａが着脱可能に設けられる。
【００４３】
上記枠状部材１２Ａは、パイプ材からなる中間部１３Ａと、この中間部１３Ａの両端に設けられた帯板状の部材からなる一対の側辺部１４Ａとを有する。各側辺部１４Ａの下端部内面には、所定長さのパイプ材などからなる支持部材３１Ａと、この支持部材３１Ａよりも下端に係合部１５Ａとがねじ止めや溶接などによって固着されている。
【００４４】
上記支持部材３１Ａは、上記枠状部材１２Ａが係合部１５Ａをベッドフレーム４２の長手方向一端部の下面に係合させてわずかに傾斜させた状態で下端部が装置本体２Ａの上面である、上記ベッドフレーム４２の上面に当接するようになっている。それによって、枠状部材１２Ａはベッドフレーム４２の上面でわずかに後方へ傾斜した立位状態で保持される。
【００４５】
上記枠状部材１２Ａの前面には板材４３が設けられ、この板材４３にはクッション体４４が添設されている。それによって、利用者は上記枠状部材１２Ａにクッション体４４を介して寄り掛かることができる。
【００４６】
なお、板材４３の前面にクッション体４４を添設せず、利用者は板材４３に直接、寄り掛かるようにしてもよい。
【００４７】
図９と図１０はこの発明の第４の実施の形態を示す。この実施の形態は、装置本体２Ａの構造及びこの装置本体２Ａに対する枠状部材１２Ａの取付け構造は第３の実施の形態とほぼ同じであるが、クッション体４４Ａを円柱状とし、このクッション体４４Ａを枠状部材１２Ａの中間部１３に取着するようにしたという点で相違している。
【００４８】
【発明の効果】
請求項１と請求項３の発明によれば、装置本体上に背凭れ体を設けることができるから、利用者はこの背凭れ体に寄り掛かることができる。
【００４９】
上記背凭れ体は装置本体の上面の所定の位置で保持したり、装置本体から取り外すことができるから、利用者の好みに応じて使用形態を変えたり、不使用時には邪魔にならないよう除去することができる。
【００５０】
請求項２の発明によれば、背凭れ体の幅寸法を調整することができるから、この背凭れ体を、装置本体の幅寸法が異なっても、使用することができる。
【図面の簡単な説明】
【図１】この発明の第１の実施の形態のクッション装置としてのベッドを示す斜視図。
【図２】同じく側面図。
【図３】同じく背凭れ体の取付け状態を示す装置本体の縦断面図。
【図４】同じく枠状部材に設けられた継ぎ手の断面図。
【図５】同じく支持部材を伸縮自在とした部分の断面図。
【図６】この発明の第２の実施の形態を示す枠状部材の正面図。
【図７】この発明の第３の実施の形態を示すベッドの側面図。
【図８】同じく縦断面図。
【図９】同じくこの発明の第４の実施の形態を示すベッドの側面図。
【図１０】同じく縦断面図。
【符号の説明】
２…装置本体
１１…背凭れ体
１２…枠状部材
１３…中間部
１４…側辺部
１５…係合部
１６…継ぎ手
３１…支持部材
３５…クッション体
【図１】
0003642712.tif 000002
【図２】
0003642712.tif 000003
【図３】
0003642712.tif 000004
【図４】
0003642712.tif 000005
【図５】
0003642712.tif 000006
【図６】
0003642712.tif 000007
【図７】
0003642712.tif 000008
【図８】
0003642712.tif 000009
【図９】
0003642712.tif 000010
【図１０】
0003642712.tif 000011